(57)【要約】【課題】パッド本体の揺れの周期の設定の自由度を向上できる錘部材を提供する。【解決手段】打撃される打面２２ａを有して揺動自在に支持体１０に支持されるパッド本体２０に接触する接触部３１がパッド本体２０に力を加える。パッド本体２０の打面２２ａに対する裏面から離れる方向へ接触部３１から延びて錘部３２が形成される。パッド本体２０の裏面側に錘部３２の重心Ｇ２が位置するので、パッド本体２０の揺動中心Ｃを支点として、パッド本体２０及び錘部材３０の合成重心Ｇ１２が振り子のように運動する。パッド本体２０から離れたところに錘部３２の重心Ｇ２が位置するので、パッド本体２０の揺動中心Ｃからパッド本体２０及び錘部材３０の合成重心Ｇ１２までの距離を比較的自由に設定できる。その結果、パッド本体２０の揺れの周期の設定の自由度を向上できる。【選択図】図１
2017026726.tif 000002
【特許請求の範囲】
【請求項１】
打撃される打面を有して揺動自在に支持体に支持されるパッド本体に接触して前記パッド本体に力を加える接触部と、
前記パッド本体の前記打面に対する裏面から離れる方向へ前記接触部から延びて形成されると共に前記裏面側の前記パッド本体から離れたところに重心が位置する錘部とを備えていることを特徴とする錘部材。
【請求項２】
前記接触部から延びる方向に沿って前記錘部の重心の位置を調整する位置調整部を備えていることを特徴とする請求項１記載の錘部材。
【請求項３】
前記接触部に対する前記錘部が延びる方向の角度を調整する錘角度調整部を備えていることを特徴とする請求項１又は２に記載の錘部材。
【請求項４】
打撃される打面を有して揺動自在に支持体に支持されるパッド本体と、
前記パッド本体に接触して前記パッド本体に力を加える請求項１から３のいずれかに記載の錘部材とを備えていることを特徴とする打撃用パッド。
【請求項５】
前記パッド本体は、重心が揺動中心から離れて位置し、
前記錘部材は、重心が、前記パッド本体の揺動中心を挟んで前記パッド本体の重心の反対側に位置することを特徴とする請求項４記載の打撃用パッド。
【請求項６】
前記パッド本体は、前記錘部が延びる方向に対する前記打面の角度を調整する打面角度調整部を備えていることを特徴とする請求項４又は５に記載の打撃用パッド。
【発明の詳細な説明】
【技術分野】
【０００１】
本発明は錘部材および打撃用パッドに関し、パッド本体の揺れの周期の設定の自由度を向上できる錘部材および打撃用パッドに関するものである。
【背景技術】
【０００２】
従来、スタンドに揺動可能に支持される打撃用パッドへの打撃を検出して楽音を発生する電子打楽器は、アコースティックシンバル等のアコースティック楽器の音色を模擬することが多い。また、打撃を検出するセンサを備えていない練習用の打楽器もある。打楽器の中には、打撃の感触（以下「打撃感」と称す）をアコースティック楽器の打撃感に近づけようとするものがある（特許文献１）。特許文献１は、パッド本体の裏面に錘を取り付けてパッド本体の一部を重くすることで、パッド本体の慣性モーメントを調整でき、パッド本体の打撃感を調整できる。慣性モーメントが大きくなると、パッド本体の揺れの周期が少し長くなる。
【先行技術文献】
【特許文献】
【０００３】
【特許文献１】特開２０１５−２８５１８号公報
【発明の概要】
【発明が解決しようとする課題】
【０００４】
しかし、特許文献１は、慣性モーメントを大きくするために、パッド本体の揺動中心からパッド本体の重心までの距離や錘の質量を大きくするには限界があるので、パッド本体の揺れの周期を長くするには限界がある。
【０００５】
本発明は上述した問題点を解決するためになされたものであり、パッド本体の揺れの周期の設定の自由度を向上できる錘部材および打撃用パッドを提供することを目的とする。
【課題を解決するための手段および発明の効果】
【０００６】
この目的を達成するために、請求項１記載の錘部材によれば、打撃される打面を有して揺動自在に支持体に支持されるパッド本体に接触する接触部がパッド本体に力を加える。パッド本体の打面に対する裏面から離れる方向へ接触部から延びて錘部が形成される。パッド本体の裏面側に錘部の重心が位置するので、パッド本体の揺動中心を支点として、パッド本体および錘部材の合成重心が振り子のように運動する。パッド本体から離れたところに錘部の重心が位置するので、特許文献１に比べてパッド本体の揺動中心からパッド本体および錘部材の合成重心までの距離を自由に設定できる。その結果、パッド本体の揺れの周期の設定の自由度を向上できる効果がある。
【０００７】
請求項２記載の錘部材によれば、位置調整部により接触部から延びる方向に沿って錘部の重心の位置が調整されるので、パッド本体へ近づく方向、又は、パッド本体から離れる方向へ錘部の重心の位置を調整できる。パッド本体の揺動中心からパッド本体および錘部材の合成重心までの距離を変更できると共に、揺動中心まわりの慣性モーメントを変更できるので、請求項１の効果に加え、パッド本体の揺れの周期および打撃感を調整できる効果がある。
【０００８】
請求項３記載の錘部材によれば、錘角度調整部により接触部に対する錘部が延びる方向の角度が調整される。支持体にパッド本体を支持した場合、請求項１又は２の効果に加え、支持体に対するパッド本体または錘部の傾きを調整できる効果がある。
【０００９】
請求項４記載の打撃用パッドによれば、打撃される打面を有して揺動自在に支持体に支持されるパッド本体に、請求項１から３のいずれかに記載の錘部材がパッド本体に接触してパッド本体に力を加える。パッド本体の裏面側に、且つ、パッド本体から離れたところに重心が位置するので、パッド本体の揺動中心から、パッド本体および錘部材の合成重心である打撃用パッドの重心までの距離を比較的自由に設定できる。その結果、請求項１から３のいずれかと同様の効果がある。
【００１０】
請求項５記載の打撃用パッドによれば、パッド本体の重心がパッド本体の揺動中心から離れて位置し、パッド本体の揺動中心を挟んでパッド本体の重心位置の反対側に錘部材の重心が位置する。パッド本体および錘部材の合成重心を揺動中心の鉛直下方に近づけることができるので、打撃用パッドをバランスよく揺らすことができる。これにより、請求項４の効果に加え、打撃用パッドの揺れ方をアコースティック楽器に近づけることができる効果がある。
【００１１】
請求項６記載の打撃用パッドによれば、パッド本体の打面角度調整部により錘部が延びる方向に対する打面の角度が調整される。そのため、請求項４又は５の効果に加え、錘部材により支持体に対するパッド本体の傾きが決定された場合でも、打面角度調整部により奏者の好みに応じて打面の角度を調整できる効果がある。
【図面の簡単な説明】
【００１２】
【図１】（ａ）は本発明の第１実施の形態における電子打楽器の斜視図であり、（ｂ）は電子打楽器の側面図である。
【図２】（ａ）は打撃用パッドの底面図であり、（ｂ）は錘部材の側面図である。
【図３】第２実施の形態における電子打楽器の斜視図である。
【図４】（ａ）は錘部材の平面図であり、（ｂ）は図４（ａ）の矢印ＩＶｂ方向から見た錘部材の正面図である。
【図５】（ａ）は第３実施の形態における電子打楽器の部分断面図であり、（ｂ）は打撃用パッドの底面図である。
【図６】第４実施の形態における電子打楽器の側面図である。
【発明を実施するための形態】
【００１３】
以下、本発明の好ましい実施の形態について、添付図面を参照して説明する。まず、図１（ａ）、図１（ｂ）及び図２（ａ）を参照して、電子打楽器１について説明する。図１（ａ）は本発明の第１実施の形態における電子打楽器１の斜視図であり、図１（ｂ）は電子打楽器１の側面図であり、図２（ａ）は打撃用パッド２の底面図である。本明細書では、打撃用パッド２を支持体１０に支持させた状態において、奏者側（図１（ｂ）左側）を電子打楽器１の前方側とし、奏者から見た電子打楽器１よりも遠方（図１（ｂ）右側）を電子打楽器１の後方とし、奏者から見た左右方向（図１（ｂ）紙面垂直方向）をそれぞれ電子打楽器１の左右方向とし、奏者から見た上下方向（図１（ｂ）上下方向）を電子打楽器１の上下方向とする。
【００１４】
図１（ａ）及び図１（ｂ）に示すように、電子打楽器１は、電子シンバルであり、支持体１０と、支持体１０に揺動自在に支持される打撃用パッド２とを備えている。支持体１０は、打撃用パッド２を支える支柱であり、打撃用パッド２を揺動可能に支持して下方へ延びる支持部１１と、支持部１１と接続する丸棒状の第１接続部１２と、第１接続部１２と接続すると共にスタンド（図示せず）に取り付けられて鉛直方向に軸を向けて自立する丸棒状の第２接続部１３とを備えている。なお、支持体１０（第２接続部１３）自体を自立可能に構成することも可能である。
【００１５】
支持部１１は、打撃用パッド２のカップ部２１の中心部に設けられる支持孔２１ａ（図２（ａ）参照）を貫通する丸棒状の部材である。支持部１１が貫通する円筒状の弾性体１１ａ，１１ｂにより打撃用パッド２を上下で挟み、支持部１１の上端に取り付けられる蝶ナット１１ｃにより弾性体１１ａ，１１ｂ間を締め付ける。支持部１１と支持孔２１ａとの間には隙間が設けられるので、支持孔２１ａの中心を揺動中心Ｃとして、前後左右に揺動自在に打撃用パッド２が支持部１１に支持される。蝶ナット１１ｃの締め付け力を調整することで、打撃用パッド２の揺れの大小を調整できる。
【００１６】
支持部１１は下端が球形状に形成され、第１接続部１２の上端に設けられる第１固定具１４により支持部１１の下端が挟まれる。第１固定具１４は、奏者側に蝶ねじ１４ａが設けられている。蝶ねじ１４ａを締めることで第１接続部１２に支持部１１が固定され、蝶ねじ１４ａを緩めることで第１接続部１２に対する支持部１１の傾きを変更できる。第１固定具１４は支持部１１の軸が鉛直方向へ向くように設定される。そのため、蝶ナット１１ｃの締め付け力を調整することで、支持孔２１ａの軸方向を鉛直方向（カップ部２１の裏面を水平）にできる。
【００１７】
第１接続部１２は、第２接続部１３の上端に設けられる第２固定具１５により支持される。第２固定具１５は、蝶ねじ１５ａにより第２接続部１３に対する第１接続部１２の傾きと、蝶ねじ１５ｂにより第２接続部１３に対する第１接続部１２の固定位置とを調整できる。第２固定具１５は、鉛直方向へ延びる第２接続部１３の上端から第１接続部１２が後方へ上昇傾斜するように設定される。
【００１８】
図１（ａ）、図１（ｂ）及び図２（ａ）に示すように、打撃用パッド２は、支持体１０に揺動自在に支持される扇状のパッド本体２０と、パッド本体２０の下面（裏面）にねじ３で締結されて固定される錘部材３０とを備えている。ねじ３によりパッド本体２０と錘部材３０とが固定されるので、錘部材３０を容易に着脱できる。必要に応じて錘部材３０を着脱できると共に、裏面がねじ止めされている従来のパッド本体にそのねじを利用して錘部材３０を取り付けることができる。
【００１９】
パッド本体２０は、上面（表面）がドーム状に盛り上がった形状を有するカップ部２１と、カップ部２１の下縁部から外側へ向かって奏者側に設けられる扇板状の被打撃部２２とを備え、カップ部２１と被打撃部２２とが一体に形成される。パッド本体２０は、重心Ｇ１が揺動中心Ｃよりも奏者側、且つ、下方に位置する。
【００２０】
カップ部２１は、中心部を上下方向（鉛直方向）に貫通する支持孔２１ａが設けられ、裏面には支持孔２１ａから側方へ向かって形成される溝２１ｂが設けられる。支持部１１の弾性体１１ｂが側方へ向かって峰が延びる楔状に形成されることで、溝２１ｂと弾性体１１ｂとが互いに嵌め合わされる。これにより、支持体１０に対するパッド本体２０の回転を防止できる。
【００２１】
被打撃部２２は、カップ部２１の中心部（揺動中心Ｃ）よりも奏者側に中心が位置する扇形の部位であり、カップ部２１から離れるに従って緩やかに下降傾斜する表面が、スティックなどで打撃される打面２２ａである。被打撃部２２は、弾性を有するカバー２２ｂにより打面２２ａと裏面の周縁部とが形成され、裏面のカバー２２ｂよりもカップ部２１側（揺動中心Ｃ側）の位置にケース２３が設けられる。カバー２２ｂは、打面２２ａを打撃したときの打音を抑制するための部材である。なお本実施の形態では、支持孔２１ａの軸方向が鉛直方向であるときの打面２２ａの状態を水平とする。
【００２２】
ケース２３は、打面２２ａへの打撃を感知して信号を出力するピエゾセンサ２４と、ピエゾセンサ２４からの信号を出力端子（図示せず）から外部機器である音源装置（図示せず）などに出力する信号出力部（図示せず）とが内部に設けられる。このようにして電子打楽器１は、打面２２ａへの打撃を検出して、その信号に応じた打奏音を音源装置で生成してスピーカ（図示せず）から発生させる。
【００２３】
次に図２（ａ）に加え、図２（ｂ）を参照して錘部材３０について説明する。図２（ｂ）は錘部材３０の側面図である。錘部材３０は、カップ部２１の裏面に接触してねじ３により固定される薄板状の接触部３１と、接触部３１から下方へ延びる錘部３２とを備えている。なお、本実施の形態では、接触部３１の質量と比べて錘部３２の質量が十分に大きいものとし、錘部３２の重心を錘部材３０の重心Ｇ２として説明する。
【００２４】
接触部３１は、鉄鋼製の部材であり、板厚方向へ貫通してねじ３が通る６つの貫通孔（図示せず）が周方向に互いに離れて設けられる円環状の円環部３１ａと、円環部３１ａに対して垂直に円環部３１ａの後端縁から下方へ垂れ下がる垂下部３１ｂとを備えている。円環部３１ａは、内径が弾性体１１ｂの外径よりも大きく形成されるので、ねじ３を締結してカップ部２１の裏面に接触部３１を固定した状態で、カップ部２１の溝２１ｂと弾性体１１ｂとを嵌め合わせることができる。垂下部３１ｂは、円環部３１ａに対して垂直なので、円環部３１ａをカップ部２１に固定した状態では、支持孔２１ａの軸方向（鉛直方向）に平行である。
【００２５】
錘部３２は、鉄鋼製の部材であり、上端が垂下部３１ｂの後面に溶接される丸棒状のアーム３３と、アーム３３が貫通してアーム３３の軸方向に沿って矢印Ａ方向に移動可能に設けられる直方体状の可動部（位置調整部）３４とを備えている。錘部３２は、水平方向においてカップ部２１に近接するので、打撃用パッド２が揺れたときに錘部材３０が後方へ飛び出す量を少なくできる。これにより、電子打楽器１を室内に設置する場合、電子打楽器１を壁に近づけることができる。
【００２６】
アーム３３は、垂下部３１ｂの後面に溶接されるので、円環部３１ａをカップ部２１に固定した状態では、支持孔２１ａの軸方向（鉛直方向）に延びる。可動部３４は、アーム３３に先端が当接するつまみねじ３４ａが締められている。可動部３４は、つまみねじ３４ａを締めることでアーム３３に対して固定され、つまみねじ３４ａを緩めることでアーム３３に対して移動する。錘部３２は、接触部３１から鉛直方向へ離れたところに重心Ｇ２が位置し、可動部３４の移動によりアーム３３の軸方向（鉛直方向）に沿って重心Ｇ２が移動する。例えば、図２（ｂ）の二点鎖線で示す位置に可動部３４を移動させた場合には可動部３４の重心が点Ｇ２から点Ｇ２ａまで移動する。
【００２７】
以上のような電子打楽器１によれば、錘部材３０により打撃用パッド２の慣性モーメントを大きくできる。打撃用パッド２は、揺動中心Ｃに対して奏者の反対側（揺動中心Ｃよりも後方）に錘部材３０が設けられるので、蝶ナット１１ｃの締め付け力を調整して打撃用パッド２を揺動できるようにすれば、揺動中心Ｃよりも打撃用パッド２の奏者側を奏者が打撃した場合、打撃用パッド２の打撃の感触（打撃感）を重くできる。
【００２８】
打撃用パッド２は、揺動中心Ｃの奏者側にパッド本体２０の重心Ｇ１が位置し、水平方向において（底面視において）揺動中心Ｃを挟んで重心Ｇ１の反対側に錘部材３０の重心Ｇ２が位置する。重心Ｇ１、重心Ｇ２及び揺動中心Ｃは、底面視において同一の直線上に存在するので、打撃用パッド２の左右方向のバランスを確保できる。
【００２９】
打撃用パッド２の重心Ｇ１２（図１（ｂ）参照）であるパッド本体２０と錘部材３０との合成重心は、重心Ｇ１と重心Ｇ２とを結ぶ線分上に位置する。本実施の形態では、重心Ｇ１２は揺動中心Ｃの鉛直下方（支持孔２１ａの軸方向）に位置する。そのため、打撃用パッド２が支持体１０に揺動自在に支持されたとき、揺動中心Ｃを支点としてパッド本体２０と錘部材３０とが釣り合う。打撃用パッド２から弾性体１１ａ，１１ｂへ掛かる力を前後左右で均一にできるので、打撃用パッド２をバランスよく揺らすことができる。その結果、打撃用パッド２の揺れ方をアコースティック楽器に近づけることができる。なお、揺動中心Ｃの鉛直下方に重心Ｇ１２が位置する場合に限らず、重心Ｇ１２を揺動中心Ｃの鉛直下方に近づける程、打撃用パッド２をバランスよく揺らすことができる。
【００３０】
打撃用パッド２は、接触部３１から離れたところ（パッド本体２０から離れたところ）に重心Ｇ２が位置するので、揺動中心Ｃから重心Ｇ１２までの距離を大きくできる。特許文献１のようにパッド本体２０の裏面に錘を取り付ける場合、パッド本体２０と錘との合成重心をせいぜいパッド本体２０の裏面側に近づけるのが限界である。この場合、揺動中心Ｃからパッド本体２０と錘との合成重心までの距離を大きくするには限界があるので、パッド本体２０の揺れの周期を長くできない。一方、本実施の形態では、パッド本体２０から離れたところに重心Ｇ２が位置するので、特許文献１のようにパッド本体２０の裏面に錘を取り付ける場合に比べて、揺動中心Ｃから重心Ｇ１２までの距離を自由に設定できる。その結果、打撃用パッド２（パッド本体２０）の揺れの周期の設定の自由度を向上できる。
【００３１】
打撃用パッド２は、揺動中心Ｃの下方に重心Ｇ１２が位置するので、奏者が打撃用パッド２を強く打撃して打撃用パッド２が大きく揺れても打撃用パッド２のバランスを崩れ難くできる。さらに、錘部材３０により、揺動中心Ｃから重心Ｇ１２までの鉛直方向の距離を大きくできるので、打撃用パッド２のバランスを向上できる。
【００３２】
錘部材３０は、可動部３４の移動により、アーム３３の軸方向に沿って重心Ｇ２の位置を調整できるので、揺動中心Ｃから重心Ｇ１２までの距離を変更できると共に、揺動中心Ｃまわりの慣性モーメントを変更できる。これにより、打撃用パッド２（パッド本体２０）の揺れの周期および打撃感を調整できる。
【００３３】
カップ部２１の裏面に垂直にアーム３３が設けられ、パッド本体２０及び錘部材３０の釣り合いによりカップ部２１の裏面が水平に保たれるので、アーム３３が鉛直下方へ延びる。そのため、アーム３３の軸方向に沿って可動部３４を鉛直方向へ移動させても、重心Ｇ２は水平方向にほとんど移動しない。揺動中心Ｃから重心Ｇ２までの水平距離がほとんど変化しないので、パッド本体２０と錘部材３０との釣り合いを保ちつつ、揺動中心Ｃから重心Ｇ１２までの距離を変更できると共に、揺動中心Ｃまわりの慣性モーメントを変更できる。よって、パッド本体２０と錘部材３０との釣り合いを保ちつつ、打撃用パッド２（パッド本体２０）の揺れの周期および打撃感を調整できる。
【００３４】
打面２２ａを水平に保った状態で、アーム３３が鉛直方向よりも奏者側に傾く（アーム３３が前方へ向かって下降傾斜する）ように錘部材３０がパッド本体２０に取り付けられる場合、打撃用パッド２が揺動したときに錘部材３０が後方へ飛び出す量を少なくできるが、支持体１０とアーム３３とが近づいて接触し易くなる。打面２２ａを水平に保った状態で、アーム３３が鉛直方向よりも後方側に傾く（アーム３３が後方へ向かって下降傾斜する）ように錘部材３０がパッド本体２０に取り付けられる場合、支持体１０とアーム３３とが離れて接触し難くできるが、打撃用パッド２が揺動したときに錘部材３０が後方へ飛び出す量が多くなる。打面２２ａを水平に保った状態で、アーム３３が鉛直方向へ延びるように錘部材３０がパッド本体２０に取り付けられることで、錘部材３０が後方へ飛び出す量を少なくできると共に、支持体１０とアーム３３とを接触し難くできる。その結果、電子打楽器１を壁に近づけて配置できると共に、錘部材３０と第１接続部１２との接触音を抑制できる。
【００３５】
第１接続部１２は、第１固定具１４及び第２固定具１５により錘部３２から水平方向へ離れるように下方へ延び、揺動中心Ｃと錘部３２との水平距離より、第１接続部１２と錘部３２との水平距離が大きくなる。揺動中心Ｃを支点として打撃用パッド２が揺れるときに、錘部材３０を第１接続部１２に接触し難くできるので、錘部材３０と第１接続部１２との接触音を抑制できると共に、打撃用パッド２の揺れが阻害されることを抑制できる。
【００３６】
第１固定具１４は、奏者側に蝶ねじ１４ａが設けられるので、蝶ねじ１４ａが第１固定具１４の後方側に設けられる場合と比較して、揺動中心Ｃを支点として打撃用パッド２が揺れるときに、錘部材３０を第１固定具１４に接触し難くできる。これにより、錘部材３０と第１固定具１４との接触音を抑制できると共に、打撃用パッド２の揺れが阻害されることを抑制できる。
【００３７】
次に、図３、図４（ａ）及び図４（ｂ）を参照して、第２実施の形態における電子打楽器４０について説明する。第１実施の形態では、接触部３１から１つの錘部３２が下方へ延びる場合について説明した。これに対し第２実施の形態では、接触部５１から２つの錘部３２が下方へ延びる場合について説明する。なお、第１実施の形態と同一の部分については、同一の符号を付して以下の説明を省略する。
【００３８】
図３は、第２実施の形態における電子打楽器４０の斜視図であり、図４（ａ）は錘部材５０の平面図であり、（ｂ）は図４（ａ）の矢印ＩＶｂ方向から見た錘部材５０の正面図である。図３に示すように、電子打楽器４０は、鉛直方向に延びて自立可能に構成される支持体４１と、支持体４１に揺動自在に支持される打撃用パッド４２とを備えている。支持体４１は、打撃用パッド４２のカップ部２１の中心部に設けられる支持孔２１ａを貫通する丸棒状の支柱である。支持体４１が貫通する円筒状の弾性体１１ａ，１１ｂにより打撃用パッド４２を上下で挟み、支持体４１の上端に取り付けられる蝶ナット１１ｃにより弾性体１１ａ，１１ｂ間を締め付ける。これにより、支持孔２１ａの中心を揺動中心Ｃとして、前後左右に揺動自在に打撃用パッド４２が支持体４１に支持される。
【００３９】
打撃用パッド４２は、支持体４１に揺動自在に支持される円形状のパッド本体４３と、パッド本体４３の裏面にねじ３で締結されて固定される錘部材５０とを備えている。パッド本体４３は、表面がドーム状に盛り上がった形状を有するカップ部２１と、カップ部２１の下縁部から外側へ向かって奏者側（揺動中心Ｃよりも奏者側）に設けられる扇板状の被打撃部２２と、被打撃部２２よりも後方側であってカップ部２１の下縁部から外側へ向かって設けられる扇板状のフレーム４４とを備えている。
【００４０】
フレーム４４は、パッド本体４３の形状をアコースティックシンバルの形状に近づけるための部材であり、被打撃部２２とでカップ部２１の中心部（揺動中心Ｃ）よりも奏者側に中心が位置する円形に形成される。フレーム４４は、打撃を検出するセンサやカバーを有していないので、被打撃部２２に比べて十分に軽い。そのため、パッド本体４３の重心Ｇ１は、第１実施の形態におけるパッド本体２０の重心Ｇ１の位置と同様に揺動中心Ｃよりも前方に位置する。
【００４１】
図４（ａ）及び図４（ｂ）に示すように、錘部材５０は、カップ部２１の裏面に接触してねじ３により固定される薄板状の接触部５１と、接触部５１から下方へ延びる２つの錘部３２とを備えている。接触部５１は、鉄鋼製の部材であり、板厚方向へ貫通してねじ３が通る６つの貫通孔５２ａが周方向に互いに離れて設けられる円環状の円環部５２と、円環部５２に対して垂直に円環部５２の後端縁から下方へ垂れ下がる垂下部５３と、垂下部５３の側縁から側方へ突出する一対の突出部５４とを備えている。
【００４２】
一対の突出部５４には、それぞれ錘部３２のアーム３３が溶接される。２つの錘部３２が正面視において中央から左右方向へそれぞれ離れているので、打撃用パッド４２が前後方向へ揺動したときに錘部３２を支持体４１に接触し難くできる。その結果、錘部３２と支持体４１との接触音を抑制できると共に、打撃用パッド４２の揺れが阻害されることを抑制できる。
【００４３】
本実施の形態における錘部３２の重心Ｇ２は、２つの錘部３２の合成重心であり、２つの錘部３２の中央に位置する。本実施の形態における打撃用パッド４２は、第１実施の形態における打撃用パッド２と比較して、重心Ｇ１、重心Ｇ２、揺動中心Ｃの位置関係が略同一であるが、錘部３２が２つ設けられるために重心Ｇ１２が揺動中心Ｃから重心Ｇ２側へ近づく。そのため、揺動中心Ｃの鉛直下方に重心Ｇ１２が位置するように打撃用パッド４２が傾こうとするが、蝶ナット１１ｃの締め付け力を調整することで、打撃用パッド４２の傾きを抑制できる。また、重心Ｇ２は、少なくとも一方の錘部３２の可動部３４をＡ方向に移動させることで、アーム３３の軸方向（鉛直方向）に移動させることができる。
【００４４】
次に、図５（ａ）及び図５（ｂ）を参照して、第３実施の形態における電子打楽器６０について説明する。第１実施の形態では、カップ部２１と被打撃部２２とが一体に形成される場合について説明した。これに対し第３実施の形態では、カップ部２１に対して被打撃部２２の角度が調整可能に形成される場合について説明する。なお、第１実施の形態と同一の部分については、同一の符号を付して以下の説明を省略する。
【００４５】
図５（ａ）は第３実施の形態における電子打楽器６０の部分断面図であり、図５（ｂ）は打撃用パッド６１の底面図である。図５（ａ）は内部構造を省略した被打撃部２２の断面が図示されている。図５（ａ）及び図５（ｂ）に示すように、電子打楽器６０は、支持体１０と、支持体１０に揺動自在に支持される打撃用パッド６１とを備えている。打撃用パッド６１は、支持体１０に揺動自在に支持されるパッド本体６２と、パッド本体６２の裏面にねじ３で締結されて固定される錘部材７０とを備えている。
【００４６】
パッド本体６２は、表面がドーム状に盛り上がった形状を有するカップ部２１と、カップ部２１の下縁部から外側へ向かって奏者側（揺動中心Ｃよりも奏者側）に設けられる扇板状の被打撃部２２とを備えている。カップ部２１と被打撃部２２とが打面角度調整部６３により矢印Ｂ方向へ折り曲げ可能に連結される。打面角度調整部６３は、ボタンを押している間のみカップ部２１に対する被打撃部２２の角度を調整できるヒンジである。パッド本体６２及び錘部材７０が釣り合う場合、又は、蝶ナット１１ｃの締め付けによりカップ部２１の傾きを調整した場合、支持部１１（支持体１０）に対するカップ部２１の傾きが決定される。第１実施の形態では、カップ部２１と被打撃部２２とが一体に形成されるので、支持部１１に対する打面２２ａの角度が決定される。一方、本実施の形態では、打面角度調整部６３によりカップ部２１に対する被打撃部２２の角度を調整できるので、奏者の好みに応じて打面２２ａの角度を調整できる。
【００４７】
錘部材７０は、カップ部２１の裏面に接触してねじ３により固定される薄板状の接触部７１と、接触部７１から下方へ延びる錘部７３とを備え、接触部７１の後端縁に設けられる位置調整部７２により錘部７３が支持される。接触部７１は、円環状の鉄鋼製の部材であり、板厚方向へ貫通してねじ３が通る６つの貫通孔（図示せず）が周方向に互いに離れて設けられる。
【００４８】
錘部７３は、鉄鋼製の部材であり、位置調整部７２に支持される丸棒状のアーム７４と、アーム７４の下端に固定される直方体状の固定部７５とを備えている。固定部７５は、錘部７３の重心Ｇ２をアーム７４の下端側に位置させるための部材である。固定部７５によりパッド本体６２から重心Ｇ２までの距離を大きくできるので、揺動中心Ｃから重心Ｇ１２までの距離を大きくできると共に、揺動中心Ｃまわりの慣性モーメントを大きくできる。よって、打撃用パッド６１（パッド本体６２）の揺れの周期を長くできると共に、打撃用パッド６１の打撃感を重くできる。
【００４９】
位置調整部７２は、アーム７４が貫通して、アーム７４に先端が当接するつまみねじ７２ａが締められている。つまみねじ７２ａを緩めることで位置調整部７２に対する錘部７３の固定位置を調整できる。これにより、アーム７４の軸方向に沿って重心Ｇ２の位置を調整できるので、揺動中心Ｃから重心Ｇ１２までの距離を変更できると共に、揺動中心Ｃまわりの慣性モーメントを変更できる。その結果、打撃用パッド６１（パッド本体６２）の揺れの周期および打撃感を調整できる。
【００５０】
次に、図６を参照して、第４実施の形態における電子打楽器８０について説明する。第１実施の形態では、円環部３１ａに対して垂直に円環部３１ａの後端縁から下方へ垂れ下がる垂下部３１ｂにアーム３３が固定される場合について説明した。これに対し第４実施の形態では、接触部８３に対してアーム３３の角度が調整可能に形成される場合について説明する。なお、第１実施の形態と同一の部分については、同一の符号を付して以下の説明を省略する。
【００５１】
図６は第４実施の形態における電子打楽器８０の側面図である。図６に示すように、電子打楽器８０は、支持体１０と、支持体１０に揺動自在に支持される打撃用パッド８１とを備えている。打撃用パッド８１は、支持体１０に揺動自在に支持されるパッド本体２０と、パッド本体２０の裏面にねじ３で締結されて固定される錘部材８２とを備えている。
【００５２】
錘部材８２は、カップ部２１の裏面に接触してねじ３により固定される薄板状の接触部８３と、接触部８３から下方へ延びる錘部３２とを備え、接触部８３の後端縁に設けられる錘角度調整部８４により錘部３２が支持される。接触部８３は、円環状の鉄鋼製の部材であり、板厚方向へ貫通してねじ３が通る６つの貫通孔が周方向に互いに離れて設けられる。
【００５３】
錘角度調整部８４は、ボタンを押している間のみ接触部８３に対するアーム３３の軸方向の角度を調整できるヒンジである。パッド本体２０及び錘部材８２が釣り合ってアーム３３が鉛直下方へ延びるようにパッド本体２０に錘部材８２が取り付けられる状態から、錘角度調整部８４でアーム３３を接触部８３へ向かって傾けると、錘部材８２の重心Ｇ２が奏者側に移動する。これにより、打撃用パッド８１の重心Ｇ１２が奏者側に移動する。蝶ナット１１ｃの締め付け力が弱い場合には、揺動中心Ｃの鉛直下方に重心Ｇ１２が位置するように打撃用パッド８１が揺動中心Ｃまわりに矢印Ｃ方向へ回転する。従って、錘角度調整部８４で接触部８３に対するアーム３３の角度を変更することにより、奏者の好みに応じて打面２２ａの角度を調整できる。
【００５４】
一方、蝶ナット１１ｃの締め付け力が強い場合には、打撃用パッド８１が揺動中心Ｃまわりに回転することを抑制できるので、アーム３３が鉛直方向よりも奏者側に傾く（アーム３３が前方へ向かって下降傾斜する）。錘角度調整部８４により、打撃用パッド８１が揺動したときに錘部材８２が後方へ飛び出す量を少なくできるので、電子打楽器８０を壁に近づけて配置することができる。
【００５５】
以上、実施の形態に基づき本発明を説明したが、本発明は上記実施の形態に何ら限定されるものではなく、本発明の趣旨を逸脱しない範囲内で種々の改良変形が可能であることは容易に推察できるものである。例えば、上記第１実施の形態では、電子打楽器１が電子シンバルである場合について説明したが、必ずしもこれに限られるものではなく、打撃を検出するセンサを備えていない練習用の打楽器に本発明を適用することは当然可能である。
【００５６】
上記第１，３，４実施の形態ではパッド本体２０，６２が扇状である場合について、第２実施の形態ではパッド本体４３が円形状である場合について説明したが、必ずしもこれに限られるものではなく、パッド本体の形状は適宜変更可能である。例えば、楕円形状や多角形状のパッド本体が挙げられる。
【００５７】
上記第１実施の形態では、被打撃部２２の裏面のケース２３にピエゾセンサ２４が設けられる場合について説明したが、必ずしもこれに限られるものではなく、ピエゾセンサ２４の代わりに電磁誘導型のセンサや静電容量型のセンサを用いることは当然可能である。また、ピエゾセンサ２４に加えて、複数の振動センサをパッド本体２０に設けることも可能である。例えば、被打撃部２２の周縁部や、カバー２２ｂの内側、カップ部２１にそれぞれ振動センサを設けることで、打撃した場所に応じて打奏音を変えることができる。
【００５８】
上記各実施の形態では、揺動中心Ｃよりも後方側に錘部材３０，５０，７０，８２の重心Ｇ２が位置する場合について説明したが、必ずしもこれに限られるものではなく、接触部と錘部との固定位置を変更すること、又は、接触部の寸法や形状を変更することで、錘部材の重心Ｇ２の位置は変更可能である。
【００５９】
上記各実施の形態では、薄板状の接触部３１，５１，７１，８３を介してカップ部２１に錘部３２，７３を固定する場合について説明したが、必ずしもこれに限られるものではなく、接触部を介して被打撃部２２に錘部３２，７３を固定することは当然可能である。また、接触部は薄板状に限らず、継手やねじなどの接触部でパッド本体２０，４３，６２に錘部３２，７３を直接固定することも可能である。
【００６０】
また、接触部をパッド本体２０，４３，６２に接触させ、接触した状態を維持するように弾性体１１ａ，１１ｂ間にパッド本体２０，４３，６２及び接触部を挟むことも可能である。この場合、弾性体１１ａ，１１ｂによりパッド本体２０，４３，６２と接触部とが一体的に揺動できる。また、パッド本体２０，４３，６２を上下に貫通する貫通孔を設け、その貫通孔にアームを通した状態で、貫通孔よりも寸法の大きな接触部を貫通孔よりも上方位置でアームに設けることも可能である。パッド本体２０，４３，６２の貫通孔よりも接触部の寸法が大きいので、接触部を介して錘部材の重さ（力）がパッド本体２０，４３，６２に加えられ、パッド本体２０，４３，６２と接触部とが略一体的に揺動できる。
【００６１】
上記各実施の形態では、パッド本体２０，４３，６２の重心Ｇ１が揺動中心Ｃよりも奏者側にある場合について説明したが、必ずしもこれに限られるものではなく、揺動中心Ｃよりも後方側に重心Ｇ１が位置するパッド本体に本発明を適用することは当然可能である。この場合、パッド本体の揺動中心Ｃよりも奏者側に錘部材を設けることで、パッド本体と錘部材とが釣り合うことができる。また、揺動中心Ｃの鉛直方向に重心Ｇ１が位置するパッド本体に本発明を適用することも可能である。この場合、パッド本体の揺動中心Ｃよりも後方側に錘部材を設け、パッド本体の揺動中心Ｃよりも奏者側に錘部材とは別の錘を設けることで、錘を設けたパッド本体と錘部材とが釣り合うことができる。
【００６２】
上記第１，３，４実施の形態では接触部３１，７１，８３に錘部３２，７３が１つ設けられる場合について、上記第２実施の形態では接触部５１に錘部３２が２つ設けられる場合について説明したが、必ずしもこれに限られるものではなく、錘部３２，７３を３つ以上設けることは当然可能である。また、錘部材３０，５０，７０，８２を複数設けることも可能である。これらの場合、錘部材の重心とは、全ての錘部の合成重心である。また、複数の錘部材の質量をそれぞれ異ならせることで、パッド本体２０，４３，６２と複数の錘部材との釣り合い、及び、打撃用パッド２，４２，６１，８１の打撃感を調整できる。
【００６３】
上記各実施の形態では、接触部３１，５１，７１，８３がパッド本体２０，４３，６２にねじ３で締結される場合について説明したが、必ずしもこれに限られるものではなく、パッド本体２０，４３，６２に接触部３１，５１，７１，８３を溶接または接着すること、パッド本体２０，４３，６２と接触部３１，５１，７１，８３とを一体に成形することは当然可能である。また、接触部３１，５１に錘部３２を溶接する場合に限らず、接触部３１，５１に錘部３２を接着すること、接触部３１，５１と錘部３２とを一体に成形すること、接触部３１，５１と錘部３２とをねじやボルト及びナットで締結することも可能である。
【００６４】
上記各実施の形態では、錘部材３０，５０，７０，８２（錘部３２，７３）が鉄鋼製の部材である場合について説明したが、必ずしもこれに限られるものではなく、その他の金属材料や、セラミックス材料、樹脂材料、それらの合成材料を錘部に用いることは当然可能である。支持体１０，４１やパッド本体２０，４３，６２を構成する材料も、金属材料や、セラミックス材料、樹脂材料、それらの合成材料を用いることが可能である。パッド本体２０，４３，６２及び錘部材３０，５０，７０，８２の質量を変更することで、パッド本体２０，４３，６２と錘部材３０，５０，７０，８２との釣り合い、及び、打撃用パッド２，４２，６１，８１の打撃感を調整できる。なお、質量（サイズや比重）の異なる可動部を複数用意しておき、可動部を交換することで錘部材の質量を変更し、パッド本体２０，４３，６２と錘部材との釣り合い、及び、打撃用パッドの打撃感を調整できる。
【００６５】
また、アーム３３，７４よりも可動部３４又は固定部７５を比重の大きな材料で構成することも可能である。こうした場合、錘部３２，７３の重心Ｇ２の位置が可動部３４又は固定部７５の位置に大きく影響される。可動部３４又は固定部７５の比重がアーム３３，７４の比重以下である場合に比べて、アーム３３，７４の下端に可動部３４又は固定部７５が位置する場合の重心Ｇ２の位置をパッド本体２０，４３，６２から遠くできると共に、可動部３４の移動量に対する重心Ｇ２の移動量を大きくできる。その結果、アーム３３，７４の長さを抑えつつ、打撃用パッド２，４２，６１，８１の揺れの周期を長くできて打撃感を重くできると共に、打撃用パッド２，４２，６１，８１の揺れの周期および打撃感の調整可能な範囲を広げられる。
【００６６】
さらに、錘部３２，７３及び支持体１０，４１の少なくとも一方を合成樹脂で形成すること、又は、錘部３２，７３及び支持体１０，４１の少なくとも一方の表面をゴムなどの弾性体でコーティングすることで、錘部３２，７３と支持体１０，４１との接触音を抑制できる。
【００６７】
上記第１，２，４実施の形態では、可動部（位置調整部）３４の移動により重心Ｇ２が移動する場合について、上記第３実施の形態では位置調整部７２により錘部７３を移動させて重心Ｇ２が移動する場合について説明したが、必ずしもこれに限られるものではない。錘部３２，７３又はアーム３３，７４の端部に継手や磁石、ねじなどの接合部（位置調整部）を設け、複数の錘部３２，７３又はアーム３３，７４を長さ方向に接合することで、重心Ｇ２の位置を変えることができる。また、アーム３３に複数の可動部３４を設け、可動部３４の個数を変更することでも重心Ｇ２の位置を変えることができる。
【００６８】
上記各実施の形態では、アーム３３，７４が丸棒状である場合について説明したが、必ずしもこれに限られるものではなく、角棒状のアームを用いることは当然可能である。この場合、アームの軸を中心に可動部３４が回転することを抑制できる。また、中空パイプ状のアームを用いることも可能であり、丸棒状や角棒状のアームに比べて中空パイプ状のアームの比重を小さくできる。
【００６９】
なお、上記各実施の形態のいずれかの一部または全部を、他の実施の形態の一部または全部と組み合わせることは可能である。また、上記各実施の形態のうちの一部の構成を省略することも可能である。例えば、上記第３実施の形態における打面角度調整部６３を備える電子打楽器６０に、上記第４実施の形態における錘角度調整部８４を適用することは当然可能である。また、上記第１，２，４実施の形態における可動部３４（位置調整部）を備える電子打楽器１，４０，８０に、上記第３実施の形態における位置調整部７２を適用することは当然可能である。また、上記第１，２，４実施の形態における可動部３４、上記第３実施の形態における固定部７５を省略することも可能である。
【符号の説明】
【００７０】
１，４０，６０，８０  電子打楽器（打楽器）
２，４２，６１，８１  打撃用パッド
１０，４１  支持体
１１        支持部
１２        第１接続部（接続部）
２０，４３，６２  パッド本体
２２ａ      打面
３０，５０，７０，８２  錘部材
３１，５１，７１，８３  接触部
３２，７３  錘部
３４        可動部（位置調整部）
６３        打面角度調整部
７２        位置調整部
８４        錘角度調整部
【図１】
2017026726.tif 000003
【図２】
2017026726.tif 000004
【図３】
2017026726.tif 000005
【図４】
2017026726.tif 000006
【図５】
2017026726.tif 000007
【図６】
2017026726.tif 000008